(57)【要約】【課題】画像データの記憶に実際に利用できる、より正確な容量をユーザが知ることができる撮像装置を提供する。【解決手段】制御部７は、撮像部１によって生成され、画像処理部２によって処理された画像データを記憶部３に格納すると共に、記憶部３によって記憶されている画像データのうち消去対象のデータを消去する。容量管理部１１は、撮像のフレームレートに基づいて、撮像開始前の記憶部３の空き容量に相当する容量が新たな画像データで消費されるまでに消去可能な消去対象のデータの容量を算出する。また、容量管理部１１は、その容量に撮像開始前の記憶部３の空き容量を加えた容量から、新たな画像データで消費された記憶部３の容量を引いた容量に相当する記憶可能残量を算出する。残量表示部１２は記憶可能残量を表示する。【選択図】図１
2008103924.tif 000002
【特許請求の範囲】
【請求項１】
被写体を撮像し画像データを生成する撮像手段と、
前記画像データを記憶する記憶手段と、
前記撮像手段によって生成された前記画像データを前記記憶手段に格納すると共に、前記記憶手段によって記憶されている前記画像データのうち消去対象のデータを消去する制御手段と、
前記撮像手段による撮像のフレームレートに基づいて、撮像開始前の前記記憶手段の空き容量に相当する容量が新たな前記画像データで消費されるまでに消去可能な前記消去対象のデータの容量を算出する第１の容量算出手段と、
前記第１の容量算出手段によって算出された容量に撮像開始前の前記記憶手段の空き容量を加えた容量から、新たな前記画像データで消費された前記記憶手段の容量を引いた容量に相当する記憶可能残量を算出する第２の容量算出手段と、
前記第２の容量算出手段によって算出された前記記憶可能残量を表示する残量表示手段と、
を有することを特徴とする撮像装置。
【請求項２】
前記消去対象のデータは、直前の撮影で前記記憶手段に格納された前記画像データであることを特徴とする請求項１に記載の撮像装置。
【請求項３】
前記制御手段は、前記消去対象のデータを消去することによって生じた前記記憶手段の空き領域に対して、前記撮像手段によって生成された前記画像データを格納することを特徴とする請求項１または請求項２に記載の撮像装置。
【発明の詳細な説明】
【技術分野】
【０００１】
本発明は、撮像によって生成された画像データを記憶する記憶手段を備えた撮像装置に関し、特に記憶手段の残量を表示する撮像装置に関する。
【背景技術】
【０００２】
従来、記憶媒体を備える撮像装置は、記憶媒体へ記憶可能な容量をユーザに通知するための残量表示の機能を有している。これに関して、特許文献１には、記録メディアの空き容量と、消去許可設定されたデータの総容量とを合わせて残量として表示することが開示されている。
【０００３】
一方、画像データの処理技術の向上も図られている。これに関して、特許文献２には、記憶媒体に対する記憶動作と消去動作を並行的に行うことが開示されている。
【特許文献１】特開２００３−２５７１６４号公報
【特許文献２】特公平５−３６４３号公報
【発明の開示】
【発明が解決しようとする課題】
【０００４】
しかし、特許文献１に記載された事項からは、記憶動作と消去動作をどのように行うのかが不明であり、処理効率の点で改善の余地がある。そこで、特許文献１に記載された残量表示技術と、特許文献２に記載された画像データの記憶・消去技術とを組み合わせることによって、画像データの処理効率を向上すると共に、撮像中に消去済みとなる容量を含めた、画像データの記憶に利用できる容量をユーザに通知することが可能となる。
【０００５】
ところが、従来技術では以下の問題が解決されていない。記憶媒体に対する記憶動作と消去動作を並行的に行う場合、撮像によって生成される画像データの生成速度が消去速度を上回っていると、消去対象に設定された画像データの消去が終了する前に記憶媒体の空き容量が０になってしまう可能性がある。したがって、消去対象として設定された画像データの総容量を常に残量として利用できるわけではない。従来技術では、残量表示において上記の点が考慮されておらず、画像データの記憶に実際に利用できる正確な容量をユーザが知ることができないという問題があった。
【０００６】
本発明は、上述した課題に鑑みてなされたものであって、画像データの記憶に実際に利用できる、より正確な容量をユーザが知ることができる撮像装置を提供することを目的とする。
【課題を解決するための手段】
【０００７】
本発明は、上記の課題を解決するためになされたもので、被写体を撮像し画像データを生成する撮像手段と、前記画像データを記憶する記憶手段と、前記撮像手段によって生成された前記画像データを前記記憶手段に格納すると共に、前記記憶手段によって記憶されている前記画像データのうち消去対象のデータを消去する制御手段と、前記撮像手段による撮像のフレームレートに基づいて、撮像開始前の前記記憶手段の空き容量に相当する容量が新たな前記画像データで消費されるまでに消去可能な前記消去対象のデータの容量を算出する第１の容量算出手段と、前記第１の容量算出手段によって算出された容量に撮像開始前の前記記憶手段の空き容量を加えた容量から、新たな前記画像データで消費された前記記憶手段の容量を引いた容量に相当する記憶可能残量を算出する第２の容量算出手段と、前記第２の容量算出手段によって算出された前記記憶可能残量を表示する残量表示手段とを有することを特徴とする撮像装置である。
【０００８】
また、本発明の撮像装置において、前記消去対象のデータは、直前の撮影で前記記憶手段に格納された前記画像データであることを特徴とする。
【０００９】
また、本発明の撮像装置において、前記制御手段は、前記消去対象のデータを消去することによって生じた前記記憶手段の空き領域に対して、前記撮像手段によって生成された前記画像データを格納することを特徴とする。
【発明の効果】
【００１０】
本発明によれば、撮像手段による撮像のフレームレートに基づいて、撮像開始前の記憶手段の空き容量に相当する容量が新たな画像データで消費されるまでに消去可能な消去対象のデータの容量が算出され、その容量が記憶可能残量に反映されるので、画像データの記憶に実際に利用できる、より正確な容量をユーザが知ることができるという効果が得られる。
【発明を実施するための最良の形態】
【００１１】
以下、図面を参照し、本発明の実施形態を説明する。図１は、本発明の一実施形態による撮像装置の構成を示している。撮像部１は、被写体からの光を集光するレンズ等の光学系と、被写体からの光で形成された被写体像を撮像し撮像信号に変換する撮像素子と、その制御回路とを含んでいる。画像処理部２は、撮像部１から出力された撮像信号を画像処理し、画像データを生成する。
【００１２】
記憶部３は、画像処理部２から出力された画像データを記憶するための記憶媒体４，５を備えている。フレームレート判別部６は、撮像部１から撮像情報を取得し、撮像のフレームレートを判別する。制御部７は、フレームレート判別部６によって判別された撮像のフレームレートに応じて記憶部３への画像データの記憶と消去を制御する機能等を有している。
【００１３】
撮像開始指示部８は、ユーザが撮像の開始指示を入力するために操作するシャッターボタン等を備えている。制御部７は、撮像開始指示部８から出力された信号に基づいてユーザの撮像開始指示を検出した場合に、撮像部１に撮像動作の開始を指示する。記憶開始指示部９は、ユーザが記憶の開始指示を入力するために操作するボタン等を備えている。制御部７は、記憶開始指示部９から出力された信号に基づいてユーザの記憶開始指示を検出した場合に、記憶部３に記憶動作の開始を指示する。撮像開始指示部８と記憶開始指示部９は一体化されていてもよい。
【００１４】
消去指示部１０は、ユーザが消去対象の画像データを指示するために操作するボタン等を備えている。制御部７は、消去指示部１０から出力された信号に基づいて消去対象の画像データを識別する。容量管理部１１は記憶媒体４，５の記憶容量を管理し、記憶媒体４，５の残量（記憶可能残量）を算出する。残量表示部１２は、容量管理部１１によって算出された残量を表示する。
【００１５】
詳細は後述するが、本実施形態による容量管理部１１は、撮像開始前の記憶部３の空き容量に相当する容量が新たな画像データで消費されるまでに制御部７が消去可能な消去対象の画像データの容量を算出する。この容量は、撮像のフレームレートと単位フレーム当たりのデータ量を考慮した単位時間当たりの生成データ量および単位時間当たりの消去データ量に基づいて算出される。そして、容量管理部１１は、その容量に撮像開始前の記憶部３の空き容量を加えた容量から、新たな画像データで消費された容量を引いた容量に相当する容量を残量として算出する。
【００１６】
次に、本実施形態による撮像装置の動作を説明する。本実施形態では、撮像によって生成された画像データがまず記憶媒体４の空き領域に格納されるものとする。また、消去対象の画像データは、記憶媒体５に格納されている画像データであるものとする。したがって、本実施形態では、記憶媒体４への画像データの記憶と記憶媒体５の画像データの消去とが並行的に行われる。
【００１７】
撮像開始指示部８の操作によって撮像開始指示が入力され、撮像装置が撮像動作を開始した後、記憶開始指示部９の操作によって記憶開始指示が入力された場合、撮像装置は画像データの記憶動作を開始し、図２に従って動作する。まず、制御部７は、撮像前に予め消去対象の画像データがユーザから指示されたか否かを判定する（ステップＳ２０１）。消去対象の画像データがユーザから指示されている場合には、制御部７は消去対象の画像データの容量の算出を容量管理部１１に指示する。指示を受けた容量管理部１１は、記憶媒体５に格納されている消去対象の画像データの容量を算出する（ステップＳ２０２）。続いて、制御部７は、撮像開始前の記憶媒体４の空き容量が新たな画像データで埋まるまでに消去対象の画像データを全て消去する全消去が可能であるか否かを判定する（ステップＳ２０３）。
【００１８】
この際に制御部７は、フレームレート判別部６によって判別された撮像のフレームレートと消去対象の画像データの情報を容量管理部１１に通知する。容量管理部１１は、フレームレートに単位フレーム当たりのデータ量を乗じた単位時間当たりの生成データ量と記憶媒体４の空き容量とに基づいて、記憶媒体４の空き容量が新たな画像データで埋まるまでに要する時間（第１の時間とする）を算出する。また、容量管理部１１は、記憶媒体５に格納されている消去対象の画像データの容量と、制御部７が単位時間当たりに消去可能なデータ量とに基づいて、消去対象の画像データを全て消去するのに要する時間（第２の時間とする）を算出する。容量管理部１１は、算出した上記の各時間を制御部７に通知する。
【００１９】
制御部７は、容量管理部１１から通知された上記の第１の時間と第２の時間を比較し、第１の時間≧第２の時間であった場合には、全消去が可能であると判定し、第１の時間＜第２の時間であった場合には、全消去が可能でないと判定する。全消去が可能であると制御部７が判定した場合には、ステップＳ２０５の記憶動作Ａ・消去動作Ａが行われる。また、全消去が可能でないと制御部７が判定した場合には、制御部７は、撮像開始前の記憶媒体４の空き容量が新たな画像データで埋まるまでに消去対象の画像データの一部を消去する部分消去が可能であるか否かを判定する（ステップＳ２０４）。
【００２０】
この際に制御部７は、この判定に係る情報を容量管理部１１に要求する。容量管理部１１は制御部７からの要求を受けて、消去対象の画像データの所定数フレーム分のデータ量と、制御部７が単位時間当たりに消去可能なデータ量とに基づいて、消去対象の画像データのうち所定数フレーム分のデータを消去するのに要する時間（第３の時間とする）を算出し、制御部７に通知する。制御部７は、容量管理部１１から通知された第１の時間と第３の時間を比較し、第１の時間≧第３の時間であった場合には、部分消去が可能であると判定し、第１の時間＜第３の時間であった場合には、部分消去が可能でないと判定する。
【００２１】
部分消去が可能であると制御部７が判定した場合には、ステップＳ２０６の記憶動作Ｂ・消去動作Ｂが行われる。また、部分消去が可能でないと制御部７が判定した場合には、ステップＳ２０７の記憶動作Ｃ・消去動作Ｃが行われる。一方、消去対象の画像データがユーザから指示されていない場合には、ステップＳ２０８の記憶動作Ｄが行われる。
【００２２】
消去対象の画像データの全消去が可能である場合、ステップＳ２０５の記憶動作Ａ・消去動作Ａが行われる。この場合、撮像装置は、図３および図４に従って動作する。図３および図４のそれぞれに示された動作は並行的に行われる。図３に示された記憶動作Ａでは、制御部７の制御によって、画像処理部２から出力された１フレーム分の画像データが記憶媒体４に格納される（ステップＳ３０１）。
【００２３】
容量管理部１１は、ステップＳ２０２で算出した消去対象の画像データの容量に撮像開始前の記憶媒体４の空き容量を加えた容量から、新たな画像データで消費された記憶媒体４の容量を引いた容量に相当する容量を記憶部３の残量として算出する（ステップＳ３０２）。容量管理部１１は、算出した残量の情報を残量表示部１２へ出力する。残量表示部１２はこの残量を表示する（ステップＳ３０３）。
【００２４】
続いて、制御部７は、全フレームの画像データの記憶が終了したか否かを判定する（ステップＳ３０４）。撮像が継続しており、画像データの記憶が終了していない場合には、処理がステップＳ３０１に戻る。また、撮像が終了し、画像データの記憶が終了した場合には、記憶動作Ａの一連の処理が終了する。
【００２５】
図４は、記憶動作Ａと並行して行われる消去動作Ａの手順を示している。制御部７は、記憶媒体５に格納されている消去対象の画像データのうち１フレーム分のデータを消去する（ステップＳ４０１）。続いて、制御部７は、消去対象の画像データの全フレームの消去が終了したか否かを判定する（ステップＳ４０２）。消去対象の画像データのフレームが残っている場合には、処理はステップＳ４０１に戻る。また、消去対象の画像データの全フレームの消去が終了した場合には、消去動作Ａの一連の処理が終了する。
【００２６】
上述した全消去が行われる場合の記憶部３の容量の変化を、図１０〜図１２を参照して説明する。図１０に示される撮像開始前の記憶部３の記憶領域１００１のうち、一部が記憶済撮像データ領域１００２であり、残りが空き領域１００３となっている。また、記憶済撮像データ領域１００２には、第１の撮像データ１００４、第２の撮像データ１００５、および第３の撮像データ１００６が格納されている。
【００２７】
ここで、図１１に示されるように、第１の撮像データ１００４と第２の撮像データ１００５が格納されている領域を記憶済撮像データ領域１１０１、第３の撮像データ１００６が格納されている領域を消去対象領域１１０２とする。撮像が開始されると、図１２に示されるように、撮像開始前の空き領域１００３のうち、画像データが格納された領域が、撮像による記憶領域１２０１となる。したがって、記憶部３の残量に相当する容量は、撮像開始前の空き領域１００３の容量 − 撮像による記憶領域１２０１の容量 + 消去対象領域１１０２の容量となる。この容量が、容量管理部１１によって残量として算出される。
【００２８】
図２に示されるように、消去対象の画像データの全消去は可能でないが、部分消去が可能である場合、ステップＳ２０６の記憶動作Ｂ・消去動作Ｂが行われる。この場合、撮像装置は、図５および図６に従って動作する。図５および図６のそれぞれに示された動作は並行的に行われる。全消去が可能でなくても、消去対象の画像データを撮影中にできるだけ消去することによって、撮影をより効率的に行うことができる。図５に示された記憶動作Ｂ・消去動作Ｂでは、容量管理部１１は、記憶媒体４の空き容量が新たな画像データで埋まるまでに要する時間以内に消去可能な消去対象の画像データ（以下、消去可能領域の画像データとする）の容量（以下、消去可能容量とする）を、制御部７が単位時間当たりに消去可能なデータ量に基づいて算出する（ステップＳ５０１）。
【００２９】
続いて、制御部７の制御によって、画像処理部２から出力された１フレーム分の画像データが記憶媒体４に格納される（ステップＳ５０２）。容量管理部１１は、ステップＳ５０１で算出した消去可能容量に撮像開始前の記憶媒体４の空き容量を加えた容量から、新たな画像データで消費された記憶媒体４の容量を引いた容量に相当する容量を記憶部３の残量として算出する（ステップＳ５０３）。容量管理部１１は、算出した残量の情報を残量表示部１２へ出力する。残量表示部１２はこの残量を表示する（ステップＳ５０４）。
【００３０】
続いて、制御部７は、全フレームの画像データの記憶が終了したか否かを判定する（ステップＳ５０５）。撮像が継続しており、画像データの記憶が終了していない場合には、処理がステップＳ５０２に戻る。また、撮像が終了し、画像データの記憶が終了した場合には、ステップＳ５０６の処理に移行する。
【００３１】
ここで、ステップＳ５０１〜Ｓ５０５と並行して行われる図６の消去動作Ｂの処理を説明する。制御部７は、記憶媒体５に格納されている消去可能領域の画像データのうち１フレーム分のデータを消去する（ステップＳ６０１）。続いて、制御部７は、消去可能領域の画像データの全フレームの消去が終了したか否かを判定する（ステップＳ６０２）。消去可能領域の画像データのフレームが残っている場合には、処理はステップＳ６０１に戻る。また、消去対象の画像データの全フレームの消去が終了した場合には、図５のステップＳ５０６の処理に移行する。
【００３２】
ステップＳ５０６では、制御部７は、記憶媒体５に格納されている消去対象の画像データのうち１フレーム分のデータを消去する（ステップＳ５０６）。続いて、制御部７は、消去対象の画像データの全フレームの消去が終了したか否かを判定する（ステップＳ５０７）。消去対象の画像データのフレームが残っている場合には、処理はステップＳ５０６に戻る。
【００３３】
また、消去対象の画像データの全フレームの消去が終了した場合には、容量管理部１１は、記憶媒体４，５の残量を算出し（ステップＳ５０８）、算出した残量の情報を残量表示部１２へ出力する。残量表示部１２はこの残量を表示する（ステップＳ５０９）。以上の処理によって、記憶動作Ｂ・消去動作Ｂの一連の処理が終了する。
【００３４】
上述した部分消去が行われる場合の記憶部３の容量の変化を、図１０、図１１、および図１３を参照して説明する。図１０に示される撮像開始前の記憶部３の記憶領域１００１のうち、一部が記憶済撮像データ領域１００２であり、残りが空き領域１００３となっている。また、記憶済撮像データ領域１００２には、第１の撮像データ１００４、第２の撮像データ１００５、および第３の撮像データ１００６が格納されている。
【００３５】
ここで、図１１に示されるように、第１の撮像データ１００４と第２の撮像データ１００５が格納されている領域を記憶済撮像データ領域１１０１、第３の撮像データ１００６が格納されている領域を消去対象領域１１０２とする。撮像が開始および継続されると、図１３に示されるように、撮像開始前の空き領域１００３が全て画像データで消費され、撮像による記憶領域１３０１となる。この時点で、消去対象領域１１０２のうちの部分消去領域１３０２の撮像データが消去されている。したがって、記憶部３の残量に相当する容量は、撮像開始前の空き領域１００３の容量 − 撮像による記憶領域１３０１の容量 + 部分消去領域１３０２の容量となる。この容量が、容量管理部１１によって残量として算出される。
【００３６】
撮像が終了したら、消去対象領域１１０２に格納されている撮像データのうち、まだ消去されていない残りのデータが消去される。撮像を継続する場合には、部分消去によって生じた消去済領域１３０３に画像データを格納してもよい。この場合に制御部７は、消去対象の画像データを消去することによって生じた記憶媒体５の空き領域に対して、撮像部１によって生成され、画像処理部２によって処理された画像データを格納する。
【００３７】
図２に示されるように、消去対象の画像データの全消去も部分消去も可能でない場合、ステップＳ２０７の記憶動作Ｃ・消去動作Ｃが行われる。この場合、撮像装置は、図７に従って動作する。図７に示された記憶動作Ｃ・消去動作Ｃでは、制御部７の制御によって、画像処理部２から出力された１フレーム分の画像データが記憶媒体４に格納される（ステップＳ７０１）。容量管理部１１は、記憶媒体４の残量を算出し（ステップＳ７０２）、算出した残量の情報を残量表示部１２へ出力する。残量表示部１２はこの残量を表示する（ステップＳ７０３）。
【００３８】
続いて、制御部７は、全フレームの画像データの記憶が終了したか否かを判定する（ステップＳ７０４）。撮像が継続しており、画像データの記憶が終了していない場合には、処理がステップＳ７０１に戻る。また、撮像が終了し、画像データの記憶が終了した場合には、制御部７は、記憶媒体５に格納されている消去対象の画像データを消去する（ステップＳ７０５）。容量管理部１１は、記憶媒体４の残量を算出し（ステップＳ７０６）、算出した残量の情報を残量表示部１２へ出力する。残量表示部１２はこの残量を表示する（ステップＳ７０７）。以上の処理によって、記憶動作Ｃ・消去動作Ｃの一連の処理が終了する。
【００３９】
一方、図２に示されるように、撮像前に予め消去対象の画像データがユーザから指示されていない場合には、ステップＳ２０８の記憶動作Ｄが行われる。この場合、撮像装置は、図８に従って動作する。図８に示された記憶動作Ｄでは、制御部７の制御によって、画像処理部２から出力された１フレーム分の画像データが記憶媒体４に格納される（ステップＳ８０１）。容量管理部１１は、記憶媒体４の残量を算出し（ステップＳ８０２）、算出した残量の情報を残量表示部１２へ出力する。残量表示部１２はこの残量を表示する（ステップＳ８０３）。
【００４０】
続いて、制御部７は、全フレームの画像データの記憶が終了したか否かを判定する（ステップＳ８０４）。撮像が継続しており、画像データの記憶が終了していない場合には、処理がステップＳ８０１に戻る。また、撮像が終了し、画像データの記憶が終了した場合には、記憶動作Ｄの一連の処理が終了する。
【００４１】
次に、図９を参照し、本実施形態の変形例の動作を説明する。図９において、図２と同様の処理を行うステップには同じ符号を付与し、そのステップの説明を省略する。図９のステップＳ２０１では、制御部７は、撮像前に予め画像データの消去がユーザから指示されたか否かを判定する。画像データの消去がユーザから指示されている場合には、制御部７は消去対象の画像データを、直前の撮影で記憶媒体５に格納された画像データに指定し（ステップＳ９０１）、その画像データの容量の算出を容量管理部１１に指示する。指示を受けた容量管理部１１は、記憶媒体５に格納されている、消去対象として指定された画像データの容量を算出する（ステップＳ２０２）。上記以外の処理は前述したとおりである。
【００４２】
上述したように、本実施形態によれば、撮像部１による撮像のフレームレートに基づいて、撮像開始前の記憶部３の空き容量に相当する容量が、撮像によって生成された新たな画像データで消費されるまでに消去可能な消去対象の画像データの容量が算出され、その容量が記憶部３の残量（記憶可能残量）に反映される。これによって、画像データの記憶に実際に利用できる、より正確な容量をユーザが知ることができる。
【００４３】
また、図９を参照して説明したように、直前の撮影で記憶された画像データが消去対象の画像データに自動的に指定される場合には、ユーザが煩雑な操作で画像データを選択しなくてもよくなるので、撮像装置の操作性を向上することができる。これは特に、直前の撮影が失敗に終わったため、その撮影で得た画像データを消去して撮影をやり直す場合に有効である。このような場合にユーザは、消去対象の画像データがどれであるのかを指定しなくても、単に画像データを消去することだけを指定すればよく、例えばボタンの１回の押下だけでこの指定が可能である。したがって、撮像装置の操作性を向上することができると共に、消去対象の画像データの指定に係る時間を短縮し、撮影効率を向上することができる。
【００４４】
また、画像データを記憶部３に格納する動作と並行して消去対象の画像データを消去することによって生じた記憶部３の空き領域に対して新たな画像データを格納することによって、記憶部３の記憶領域をより有効に使用して、より長時間の撮影を行うことができる。例えば、撮影前に存在していた記憶媒体４の空き領域の全てが撮影中に新たな画像データで消費された場合に、消去対象の画像データを消去することによって生じた記憶媒体５の空き領域に対して新たな画像データを格納して撮影を継続すれば、撮影を中断することなく、より長時間の撮影を行うことができる。
【００４５】
以上、図面を参照して本発明の実施形態について詳述してきたが、具体的な構成は上記の実施形態に限られるものではなく、本発明の要旨を逸脱しない範囲の設計変更等も含まれる。例えば、記憶開始指示部９や消去指示部１０としては、図１の構成のほか、スイッチ手段の共用やメニュー操作によるもの等、様々なバリエーションがあることはいうまでもない。
【００４６】
また、説明の便宜上、記憶媒体４を記憶用、記憶媒体５を消去用としたが、記憶媒体の構成はこれに限るものではなく、多種多様なバリエーションを考えることができる。さらに、図１０から図１３において、画像データの記憶や消去に係る領域を矢印で示して説明したが、これらの説明は便宜上のものであり、実際にはアドレスを使うなど様々な方法で画像データの記憶や消去を制御し、記憶領域を管理している。
【図面の簡単な説明】
【００４７】
【図１】本発明の一実施形態による撮像装置の構成を示すブロック図である。
【図２】本発明の一実施形態による撮像装置の動作の手順を示すフローチャートである。
【図３】本発明の一実施形態による撮像装置の動作（記憶動作Ａ）の手順を示すフローチャートである。
【図４】本発明の一実施形態による撮像装置の動作（消去動作Ａ）の手順を示すフローチャートである。
【図５】本発明の一実施形態による撮像装置の動作（記憶動作Ｂ）の手順を示すフローチャートである。
【図６】本発明の一実施形態による撮像装置の動作（消去動作Ｂ）の手順を示すフローチャートである。
【図７】本発明の一実施形態による撮像装置の動作（記憶動作Ｃ・消去動作Ｃ）の手順を示すフローチャートである。
【図８】本発明の一実施形態による撮像装置の動作（記憶動作Ｄ）の手順を示すフローチャートである。
【図９】本発明の一実施形態による撮像装置の動作（変形例）の手順を示すフローチャートである。
【図１０】本発明の一実施形態において、記憶部の容量の変化を示す参考図である。
【図１１】本発明の一実施形態において、記憶部の容量の変化を示す参考図である。
【図１２】本発明の一実施形態において、記憶部の容量の変化を示す参考図である。
【図１３】本発明の一実施形態において、記憶部の容量の変化を示す参考図である。
【符号の説明】
【００４８】
１・・・撮像部（撮像手段）、２・・・画像処理部、３・・・記憶部（記憶手段）、４，５・・・記憶媒体、６・・・フレームレート判別部、７・・・制御部（制御手段）、８・・・撮像開始指示部、９・・・記憶開始指示部、１０・・・消去指示部、１１・・・容量管理部（第１の容量算出手段、第２の容量算出手段）、１２・・・残量表示部（残量表示手段）
【図１】
2008103924.tif 000003
【図２】
2008103924.tif 000004
【図３】
2008103924.tif 000005
【図４】
2008103924.tif 000006
【図５】
2008103924.tif 000007
【図６】
2008103924.tif 000008
【図７】
2008103924.tif 000009
【図８】
2008103924.tif 000010
【図９】
2008103924.tif 000011
【図１０】
2008103924.tif 000012
【図１１】
2008103924.tif 000013
【図１２】
2008103924.tif 000014
【図１３】
2008103924.tif 000015